(57)【要約】【課題】  １／２  ＩＦ妨害除去能力とイメージ妨害除去能力の両方をバランスよく改善させることのできるデジタル放送受信機を提供することである。【解決手段】  上記課題は、無線周波数信号を帯域制限し、帯域制限された無線周波数信号を出力するフィルタ手段を備えるデジタル放送受信機（１００）であって、通過帯域の異なる複数個の前記フィルタ手段（３、４）と、前記複数個のフィルタ手段をスイッチで選択して切り替えるスイッチ手段（２）と、を備えることを特徴とするデジタル放送受信機にて達成される。【選択図】  図２
2005109550.tif 000002
【特許請求の範囲】
【請求項１】
無線周波数信号を帯域制限し、帯域制限された無線周波数信号を出力するフィルタ手段を備えるデジタル放送受信機であって、
通過帯域の異なる複数個の前記フィルタ手段と、
前記複数個のフィルタ手段をスイッチで選択して切り替えるスイッチ手段と、
を備えることを特徴とするデジタル放送受信機。
【請求項２】
請求項１記載のデジタル放送受信機であって、
前記複数個のフィルタ手段が２つ以上、並列接続されるように配置されたことを特徴とするデジタル放送受信機。
【請求項３】
請求項１又は２記載のデジタル放送受信機であって、
前記スイッチ手段は、前記複数個のフィルタ手段の切り替え制御を行うための制御信号が入力される制御端子を備え、
前記制御信号により前記スイッチ手段を切り替え、その切り替えられたフィルタ手段に前記無線周波数信号を通過させるフィルタ切替制御手段を備えることを特徴とするデジタル放送受信機。
【請求項４】
請求項３記載のデジタル放送受信機であって、
前記フィルタ切替制御手段は、前記無線周波数信号の無線周波数に基づいて、前記複数個のフィルタ手段の中から該当のフィルタ手段を選択し、その選択したフィルタ手段に切り替えさせるための制御信号を生成する切替制御信号生成手段を備え、
前記切替制御信号生成手段により生成された前記制御信号を前記スイッチ手段に供給することを特徴とするデジタル放送受信機。
【請求項５】
請求項１乃至４いずれか記載のデジタル放送受信機であって、
前記フィルタ手段は、帯域通過フィルタ（以下、ＢＰＦと略す）であることを特徴とするデジタル放送受信機。
【発明の詳細な説明】
【技術分野】
【０００１】
本発明は、デジタル放送受信機の妨害除去に関し、特に、ＢＰＦ帯域内にある妨害に対して優位となるデジタル放送受信機に関する。
【背景技術】
【０００２】
近年、デジタル音声放送が実現され、欧州デジタルオーディオ放送（ＤＡＢ：Ｄｉｇｉｔａｌ Ａｕｄｉｏ Ｂｒｏａｄｃａｓｔｉｎｇ）規格に則り放送されるデジタルオーディオ放送を受信するデジタル放送受信機が製品化されている。このＤＡＢ方式に基づくデジタル放送受信機（以下、ＤＡＢ受信機という）は、移動体受信において、マルチパスによるノイズの影響を受けないなどの特徴を有することからＣＤ並の音声、およびデータを提供することが可能となっている。
【０００３】
図３は、従来のＤＡＢ受信機の構成を示すブロック図である。同図において、このＤＡＢ受信機２００は、ピンダイオード等による可変型のＡＴＴ（減衰器）１１、１４５２ＭＨｚ−１４９１ＭＨｚを通過帯域とするＬ−Ｂａｎｄ  ＢＰＦ（Band Pass Filter）ａ１２、Ｌ−Ｂａｎｄ  ＢＰＦｂ１３、利得、ＮＦを確保するためのＬ−Ｂａｎｄ  ＬＮＡ（Low Noise Amp）１４、ＲＦ周波数（１４５２．９６ＭＨｚ−１４９０．６２４ＭＨｚ）をＶＨＦ帯に変換するＬ−Ｂａｎｄ  ＭＩＸ（ミキサ）１５、Ｌ−Ｂａｎｄ  ＯＳＣ（局部発振器）１６、ＶＨＦ帯フィルタ１７、ＰＬＬ（Phase Lock Loop）１８、ＲＥＦ  ＣＬＯＣＫ（基準クロック発信器）１９、ＶＨＦ帯周波数を３８．９１２ＭＨｚ（１ｓｔ  ＩＦ）にダウンコンバートする１ｓｔ  ＯＳＣ２０、１ｓｔ  ＭＩＸ２１、３８．９１２ＭＨｚフィルタ（ＢＰＦ）２２、３８．９１２ＭＨｚを２．０４８ＭＨｚあるいは３．０７２ＭＨｚの２ｎｄ  ＩＦにダウンコンバートする２ｎｄ  ＯＳＣ２３、２ｎｄ  ＭＩＸ２４、２．０４８ＭＨｚフィルタ２５から構成され、この２．０４８ＭＨｚフィルタ２５からＩＦ信号が出力されるようになっている。
【０００４】
また、上記したＤＡＢ受信機２００等では、妨害除去特性が重要な要素となっている。通常、所望チャネルの近傍に隣接チャネルが存在する場合には、フィルタによって隣接チャネルを抑圧する手段がとられるが、妨害波の信号レベルによっては十分に抑圧しきれない場合がある。そこで、自動利得制御回路の利得を下げることで、このような問題を解決する技術が提案されている（例えば、特許文献１参照）。
【特許文献１】特開２００１−１２７７３２号公報
【発明の開示】
【発明が解決しようとする課題】
【０００５】
上記のような従来のＤＡＢ受信機２００においては、Ｌ−ＢａｎｄのＢＰＦ（Ｌ−Ｂａｎｄ  ＢＰＦａ１２、Ｌ−Ｂａｎｄ  ＢＰＦｂ１３）の帯域（１４５２−１４９１ＭＨｚ）内に発生する１／２  ＩＦ妨害といった課題がある。以下、この１／２  ＩＦ妨害について、説明する。
【０００６】
Ｌ−ＢａｎｄのＲＦ周波数は、１４５２．９６ＭＨｚ〜１４９０．６２４ＭＨｚと高いため、トラッキングフィルタの構成が困難となっている。そのため、Ｌ−ＢａｎｄのＢＰＦとして、誘電体フィルタ、表面弾性波フィルタ（ＳＡＷフィルタ）、積層フィルタ等が使用される。
【０００７】
ここで、１／２  ＩＦ妨害周波数とは、次式で定義される。
【０００８】
１／２  ＩＦ妨害周波数＝ＲＦ周波数＋３８．９１２ＭＨｚ／２  ・・・（１）
例えば、Ｌバンドのチャネル１（Ｌ１ｃｈ）を受信したときの、１／２  ＩＦ妨害を考えた場合、１／２  ＩＦ妨害周波数は（１）式より、
１４５２．９６ＭＨｚ＋１９．４５６ＭＨｚ＝１４７２．４１６ＭＨｚとなり、ＬバンドＢＰＦの帯域内に妨害が発生することとなる。この場合、１／２  ＩＦ妨害の信号レベルと希望波の信号レベルが同レベルで２．０４８ＭＨｚの中心周波数に出現するため、妨害波の除去が難しいといった問題があった。
【０００９】
図４に示す表は、上記（１）式に基づき、Ｌバンド信号のチャネル番号１〜２３まで各チャネルにおける１／２  ＩＦ妨害周波数を計算した結果を示している。同表に示すように、Ｌ１ｃｈ〜Ｌ１２ｃｈまでの範囲（（ａ）の網掛部分）の１／２  ＩＦ妨害周波数は、Ｌ−Ｂａｎｄ  ＢＰＦａ１２、Ｌ−Ｂａｎｄ  ＢＰＦｂ１３の帯域（１４５２−１４９１ＭＨｚ）内に有ることになる。
【００１０】
また、上記１／２  ＩＦ妨害の他にイメージ妨害がある。このイメージ妨害は次式により表される。
【００１１】
イメージ妨害＝ＲＦ周波数＋２×３８．９１２ＭＨｚ  ・・・（２）
上記同様、例えば、Ｌバンドのチャネル１（Ｌ１ｃｈ）を受信したときの、イメージ妨害を考えた場合、イメージ妨害は（２）式より、
１４５２．９６ＭＨｚ＋７７．８２４ＭＨｚ＝１５３０．７８４ＭＨｚとなり、Ｌ−Ｂａｎｄ  ＢＰＦａ１２、Ｌ−Ｂａｎｄ  ＢＰＦｂ１３の帯域の上側約４０ＭＨｚしか離れていないところにイメージ妨害周波数が有ることとなる。この場合、ＬバンドＢＰＦを、図３に示すように、２段構成（Ｌ−Ｂａｎｄ  ＢＰＦａ１２、Ｌ−Ｂａｎｄ  ＢＰＦｂ１３）として、イメージ妨害除去能力を向上させている。
【００１２】
このようにイメージ妨害除去に対してはＬバンドＢＰＦを多段構成とすることで、妨害除去能力を得ることが可能であるが、ＬバンドのＢＰＦの帯域内に発生する１／２  ＩＦ妨害を除去するのは難しい。そこで、現状では、ＲＦ  ＡＧＣ（ＲＦ段での自動利得制御）の設定等により妨害波の影響を軽減するようにしているが、ＲＦ  ＡＧＣの設定は、図５（ａ）で示されるように、ＡＧＣスタートを早くした場合、隣接妨害比が悪くなり、ＩＭ（相互変調歪）、１／２  ＩＦ妨害等の特性は良くなる。反対に、ＡＧＣスタートを遅くした場合、隣接チャネル妨害信号と所望信号とがトレードオフ関係になり、適切なトレードオフのバランス設定が非常に難しい（同図（ｂ）参照）。
【００１３】
通常、ＡＧＣスタートが遅いと、１ｓｔ  ＩＦ出力の信号レベルは高くなるため、隣接の妨害でＡＧＣが掛かり、ＩＦ出力レベルが下がっても復調可能となる。しかし、ＡＧＣスタートが早いと、１ｓｔ  ＩＦ出力の信号レベルは低くなり隣接の妨害によってＡＧＣが掛かってしまった場合、すぐに復調可能な閾値以下に信号レベルが下がってしまうため、隣接妨害除去能力が悪くなる。
【００１４】
上記した１／２  ＩＦ妨害の場合、妨害は３８．９１２ＭＨｚに出現するため、ＲＦ  ＡＧＣのスタートが遅いときは、妨害レベルも高くなり、１／２  ＩＦ妨害の除去能力も悪くなってしまう。
【００１５】
本発明は、上記のような問題点に鑑みてなされたもので、その課題とするところは、１／２  ＩＦ妨害除去能力とイメージ妨害除去能力の双方をバランスよく向上させることのできるデジタル放送受信機を提供することである。
【課題を解決するための手段】
【００１６】
上記課題を解決するため、本発明は、請求項１に記載されるように、無線周波数信号を帯域制限し、帯域制限された無線周波数信号を出力するフィルタ手段を備えるデジタル放送受信機であって、通過帯域の異なる複数個の前記フィルタ手段と、前記複数個のフィルタ手段をスイッチで選択して切り替えるスイッチ手段と、を備えることを特徴としている。
【００１７】
また、本発明の請求項２によれば、前記デジタル放送受信機であって、前記複数個のフィルタ手段が２つ以上、並列接続されるように配置されたことを特徴としている。
【００１８】
また、本発明の請求項３によれば、前記デジタル放送受信機であって、前記スイッチ手段は、前記複数個のフィルタ手段の切り替え制御を行うための制御信号が入力される制御端子を備え、前記制御信号により前記スイッチ手段を切り替え、その切り替えられたフィルタ手段に前記無線周波数信号を通過させるフィルタ切替制御手段を備えることを特徴としている。
【００１９】
また、本発明の請求項４によれば、前記デジタル放送受信機であって、前記フィルタ切替制御手段は、前記無線周波数信号の無線周波数に基づいて、前記複数個のフィルタ手段の中から該当のフィルタ手段を選択し、その選択したフィルタ手段に切り替えさせるための制御信号を生成する切替制御信号生成手段を備え、前記切替制御信号生成手段により生成された前記制御信号を前記スイッチ手段に供給することを特徴としている。
【００２０】
また、本発明の請求項５によれば、前記デジタル放送受信機であって、前記フィルタ手段は、帯域通過フィルタ（以下、ＢＰＦと略す）であることを特徴としている。
【００２１】
上記本発明によれば、帯域の異なる複数のＬ−ＢａｎｄのＢＰＦをＬ−Ｂａｎｄのチャネルに応じて切り替えることで、１／２  ＩＦ妨害除去能力とイメージ妨害除去能力の両方をバランスよく改善させることができる。
【発明の効果】
【００２２】
本発明によれば、帯域の異なる複数のＬ−ＢａｎｄのＢＰＦをＬ−Ｂａｎｄのチャネルに応じて切り替えることで、１／２  ＩＦ妨害除去能力とイメージ妨害除去能力の両方をバランスよく改善させることができる。
【発明を実施するための最良の形態】
【００２３】
以下、本発明の実施の形態を、図１を参照して説明する。
【００２４】
図１は、本発明に係るＤＡＢ受信機のブロック図を示しており、Ｌ−Ｂａｎｄ  ＭＩＸ（ミキサ）以降の構成は、図３に示すブロック図と同様に構成される。したがって、ここでは、差異について詳述する。
【００２５】
本実施形態におけるＤＡＢ受信機１００は、通過帯域の異なるＬ−Ｂａｎｄ  ＢＰＦａ３、Ｌ−Ｂａｎｄ  ＢＰＦｂ４のそれぞれが並列に配置され、それらＬ−Ｂａｎｄ  ＢＰＦａ３、Ｌ−Ｂａｎｄ  ＢＰＦｂ４がＲＦスイッチ２を介してＡＴＴ（減衰器）１と接続されている。ＲＦスイッチ２は、例えば、ＰＩＮダイオードスイッチであって、Ｌ−Ｂａｎｄ  ＢＰＦａ３又はＬ−Ｂａｎｄ  ＢＰＦｂ４に接続を切り替えるためのオンオフスイッチである。
【００２６】
次に、ＲＦスイッチ２の動作について説明する。ここでは、Ｌ−Ｂａｎｄ  ＢＰＦａ３の帯域を１４５２−１４７２ＭＨｚ、Ｌ−Ｂａｎｄ  ＢＰＦｂ４の帯域を１４７２−１４９１ＭＨｚとして、以下説明を進める。
【００２７】
本実施形態では、ＲＦスイッチ２の状態はＣＰＵ４０によって制御される。図２は、このＣＰＵ４０でなされるＢＰＦ切替制御の処理手順を示すフローチャートである。
【００２８】
図２において、ＣＰＵ４０は、チャネルサーチにより希望の受信チャネルａの検出を認識（ステップＳ１）すると、Ｌ１ｃｈ〜Ｌ１２ｃｈをグループＡ、Ｌ１３ｃｈ〜Ｌ２３ｃｈをグループＢとして管理するテーブルを参照し、認識された受信チャネルａがグループＡ、グループＢのどちらに属しているかを判定（ステップＳ２）する。この判定で、受信チャネルａがグループＡに属していると判定（ステップＳ２でグループＡ）された場合は、Ｌ−Ｂａｎｄ  ＢＰＦａ３に切り替えるための制御信号を生成（ステップＳ３）してＲＦスイッチ２に供給する。一方、上記判定で、受信チャネルａがグループＢに属していると判定（ステップＳ２でグループＢ）された場合は、Ｌ−Ｂａｎｄ  ＢＰＦｂ４に切り替えるための制御信号を生成（ステップＳ４）してＲＦスイッチ２に供給する。
【００２９】
ＣＰＵ４０からグループＡを表す制御信号がＲＦスイッチ２に供給されると、スイッチ端子ａ２１に接続され、Ｌ−Ｂａｎｄ  ＢＰＦａ３がＯＮ状態となる。反対に、ＣＰＵ４０からグループＢを表す制御信号がＲＦスイッチ２に供給されると、スイッチ端子ｂ２２接続され、Ｌ−Ｂａｎｄ  ＢＰＦｂ４がＯＮ状態となる。
【００３０】
このように、本実施形態では、Ｌ−Ｂａｎｄ  ＢＰＦａ３を１４５２−１４７２ＭＨｚ、Ｌ−Ｂａｎｄ  ＢＰＦｂ４を１４７２−１４９１ＭＨｚとして、Ｌ１２ｃｈ、Ｌ１３ｃｈを境にＲＦスイッチ２で切り替える。ここで、１／２  ＩＦ妨害を考えた場合、上記図３に示す表より、理論上全てのチャネルにおいて妨害周波数はＬ−Ｂａｎｄ  ＢＰＦａ３、Ｌ−Ｂａｎｄ  ＢＰＦｂ４の帯域外となり、１／２  ＩＦ妨害に対する妨害除去能力が従来と比して向上する。実際には、下側チャネルにおいては、ＢＰＦの帯域近傍となるが、チャネルの上側程、ＢＰＦの帯域より離れるので、１／２  ＩＦ妨害に対する妨害除去能力は、従来と比較して遥かに優位となる
また、本実施形態において、例えば、Ｌ１ｃｈのイメージ妨害を考えた場合、Ｌ１ｃｈのイメージ妨害周波数は、１４５２．９６＋７７．８２４ＭＨｚ＝１５３０．７８４ＭＨｚとなり、従来の場合は、１５３０．７８４−１４９１＝３９．７８４ＭＨｚ、つまり約ＢＰＦの上側約４０ＭＨｚ離れ、本実施形態の場合は、１５３０．７８４−１４７２＝５８．７８４ＭＨｚ、つまり、ＢＰＦの上側約５９ＭＨｚ離れることとなり、イメージ妨害に対する除去能力も従来と比較して向上する。
【００３１】
ところで、本実施形態におけるＤＡＢ受信機１００の場合、ＲＦ部分のＩＣ化が考えられる。現状のＤＡＢ受信機では、データの設定を行うことで、チャネル毎にＡＧＣのスタートが行える機能を備えているものがあり、そのようなタイプのＤＡＢ受信機に本実施形態で示したＲＦスイッチでＢＰＦを切り替える機能を併用させれば、結果として、ＡＧＣのスタートを遅くできるチャネルを増やすことが可能となる。したがって、上記の場合、１／２  ＩＦ妨害のみならず隣接妨害に対しても特性を改善することができる。  
なお、本実施形態では本発明をＤＡＢ受信機に適用する場合について説明したが、ＧＨｚ帯のＢＰＦを使用している他のデジタルシステム（例：放送受信装置）等にも勿論適用することが可能である。
【図面の簡単な説明】
【００３２】
【図１】本発明に係るＤＡＢ方式のデジタル放送受信機のブロック図である。
【図２】ＣＰＵでなされるＢＰＦの切替制御処理手順を示すフローチャートである。
【図３】従来のＤＡＢ方式のデジタル放送受信機のブロック図である。
【図４】チャネル毎の１／２  ＩＦ妨害周波数を示す表である。
【図５】ＡＧＣスタートの速度による隣接チャネル妨害の影響を説明するための図である。
【符号の説明】
【００３３】
１００、２００  ＤＡＢ受信機
１、１１  ＡＴＴ
２  ＲＦスイッチ
３、１２  Ｌ−Ｂａｎｄ  ＢＰＦ（Band Pass Filter）ａ
４、１３  Ｌ−Ｂａｎｄ  ＢＰＦｂ
５、１４  Ｌ−Ｂａｎｄ  ＬＮＡ（Low Noise
Amp）
６、１５  Ｌ−Ｂａｎｄ  ＭＩＸ（ミキサ）
７、１６  Ｌ−Ｂａｎｄ  ＯＳＣ（局部発振器）
１７  ＶＨＦ帯フィルタ
１８  ＰＬＬ（Phase Lock Loop）
１９  ＲＥＦ  ＣＬＯＣＫ（基準クロック発信器）
２０  １ｓｔ  ＯＳＣ
２１  １ｓｔ  ＭＩＸ
２２  ３８．９１２ＭＨｚフィルタ（ＢＰＦ）
２３  ２ｎｄ  ＯＳＣ
２４  ２ｎｄ  ＭＩＸ
２５  ２．０４８ＭＨｚフィルタ
４０  ＣＰＵ
【図１】
2005109550.tif 000003
【図２】
2005109550.tif 000004
【図３】
2005109550.tif 000005
【図４】
2005109550.tif 000006
【図５】
2005109550.tif 000007